(57)【要約】      （修正有）【課題】新型刃部固定式のカッターナイフを提供する。【解決手段】カッターナイフケースを包括し、カッターナイフケースの内部にホルダー２を移動自在に設け、ホルダー２上にセラミック刃部５を固定して取りつけるための固定具３を設け、固定具３の底部に厚さが固定具３の幅と等しい半円弧状の突起４を設け、固定具３内にセラミック刃部５を固着しており、セラミック刃部５の峰中部に半円弧状の突起４と合わせる凹溝６を開設し、ホルダー２がカッターナイフケース内の摺動溝内に摺動自在に設けられ、ホルダー２の左右側辺上に摺接曲面凸条７を設け、ホルダー２の左側辺或いは右側辺に位置しホルダー尾部に近い摺接曲面凸条７は弾力性を有し、ホルダー２上にカッターナイフケースと係着固定又は摺動離脱を実現するために用いられる操作ボタン８を更に設ける。【選択図】図３
0003211972.tif 000002
【実用新案登録請求の範囲】
【請求項１】
新型刃部固定式のカッターナイフであって、カッターナイフケース（１）を包括し、前記カッターナイフケース（１）の内部にホルダー（２）を移動自在に設け、前記ホルダー（２）上にセラミック刃部を固定して取りけるための固定具（３）を設け、前記固定具（３）の底部に厚さが前記固定具（３）の幅と等しい半円弧状の突起（４）を設け、前記固定具（３）内に前記セラミック刃部（５）を固着しており、前記セラミック刃部（５）の峰中部に前記半円弧状の突起（４）と合わせる凹溝（６）を開設し、前記ホルダー（２）が前記カッターナイフケース（１）内の摺動溝内に摺動自在に設けられ、前記ホルダー（２）の左右側辺上に摺接曲面凸条（７）を設け、前記ホルダー（２）の左側辺或いは右側辺に位置し前記ホルダー（２）尾部に近い前記摺接曲面凸条（７）は弾力性のある摺接曲面凸条で、前記ホルダー（２）上に前記カッターナイフケース（１）と係着固定又は摺動離脱を実現するために用いられる操作ボタン（８）を更に設けることを特徴とする新型刃部固定式のカッターナイフ。
【請求項２】
前記カッターナイフケース１は、左半側ケース（１．１）と右半側ケース（１．２）とを含み、前記摺動溝が左半側ケース（１．２）上に設けられ、前記摺動溝底部に位置する左半側ケース（１．１）上に操作ボタンの摺動縦溝（１．２．１）を開設し、前記操作ボタンの摺動縦溝（１．２．１）の両側に第１ロッキングスロット（１．２．１．１）、第２ロッキングスロット（１．２．１．２）、第３ロッキングスロット（１．２．１．３）を各々設け、前記操作ボタン（８）の下端に前記第１ロッキングスロット（１．２．１．１）、前記第２ロッキングスロット（１．２．１．２）、前記第３ロッキングスロット（１．２．１．３）のいずれかと係着する係止ブロック（８．１）を設け；前記右半側ケース（１．２）上に前記ホルダー（２）固定スイッチ（１０）を設け、前記ホルダー（２）上に前記固定スイッチ（１０）と係着する第１係止溝（２．１）、第２係止溝（２．２）、第３係止溝（２．３）を設けることを特徴とする請求項１に記載の新型刃部固定式のカッターナイフ。
【請求項３】
前記右半側ケース（１．２）上には強力な磁石取付溝（１．２．２）を設け、前記強力な磁石取付溝（１．２．２）に強力な磁石（９）を固定して取り付け、前記強力な磁石取付溝（１．２．２）の底部から前記右半側ケース（１．２）の外表面までの厚さが１〜２ｍｍとすることを特徴とする請求項１に記載の新型刃部固定式のカッターナイフ。
【考案の詳細な説明】
【技術分野】
【０００１】
本考案は、カッターナイフ製造技術分野に関し、特に、新型刃部固定式のカッターナイフに関する。
【背景技術】
【０００２】
セラミックは、耐摩耗材料で不錆性を持ち、エコでもあるため、セラミックがカッターナイフの刃部に採用されると、刃先の切れ味が落ちにくい。またセラミック素材の刃部は耐摩耗性に優れているが、欠点としてセラミック素材の刃部が非常に脆く、折れやすく、また割れやすく、且つ面積が大きくなればなるほど刃部の市場価格が高くなり、現時点での技術レベルに限りがあり、市場で販売される刃部にセラミック材料が非常に少ないため、セラミック刃部の欠点を改善と克服することで、その優れた性能が運用される技術的手段を探すことが急務である。
【考案の概要】
【考案が解決しようとする課題】
【０００３】
そこで、本考案は、従来技術の不足について、新型刃部固定式のカッターナイフを提供することを目的とする。
【課題を解決するための手段】
【０００４】
上記目的を達成するため、本考案がその技術的課題を解決するために用いる技術的手段としては、新型刃部固定式のカッターナイフであって、カッターナイフケースを包括し、カッターナイフケースの内部にホルダーを移動自在に設け、前記ホルダー上にセラミック刃部を固定して取りけるための固定具を設け、固定具の底部に厚さが固定具の幅と等しい半円弧状の突起を設け、固定具内にセラミック刃部を固着しており、セラミック刃部の峰中部に半円弧状の突起と合わせる凹溝を開設し、ホルダーがカッターナイフケース内の摺動溝内に摺動自在に設けられ、前記ホルダーの左右側辺上に摺接曲面凸条を設け、ホルダーの左側辺或いは右側辺に位置しホルダー尾部に近い摺接曲面凸条は弾力性のある摺接曲面凸条で、前記ホルダー上にカッターナイフケースと係着固定又は摺動離脱を実現するために用いられる操作ボタンを更に設ける。
【０００５】
本考案に係る新型刃部固定式のカッターナイフにおいて、カッターナイフケースは、左半側ケースと右半側ケースとを含み、前記摺動溝が左半側ケース上に設けられ、摺動溝底部に位置する左半側ケース上に操作ボタンの摺動縦溝を開設し、操作ボタンの摺動縦溝の両側に第１ロッキングスロット、第２ロッキングスロット、第３ロッキングスロットを各々設け、前記操作ボタンの下端に第１ロッキングスロット、第２ロッキングスロット、第３ロッキングスロットのいずれかと係着する係止ブロックを設け；前記右半側ケース上にホルダー固定スイッチを設け、前記ホルダー上に固定スイッチと係着する第１係止溝、第２係止溝、第３係止溝を設ける。
【０００６】
本考案に係る新型刃部固定式のカッターナイフにおいて、その右半側ケース上には強力な磁石取付溝を設け、強力な磁石取付溝に強力な磁石を固定して取り付け、強力な磁石取付溝の底部から右半側ケースの外表面までの厚さが１〜２ｍｍとする。
【考案の効果】
【０００７】
本考案は、セラミック刃部を固定して取り付ける固定具により、セラミック刃部を保護する構造形態を通じて、セラミック材料の使用面積を減らし、製造コストを削減し、同時に固定具の設計によりセラミック刃部の折れと割れも大幅に減らし、カッターナイフの全体的な使用性能も大幅に強化される。
【図面の簡単な説明】
【０００８】
【図１】本考案の構造を示す模式図である。
【図２】本考案の内部構造を示す模式図である。
【図３】本考案の構造分解図である。
【考案を実施するための形態】
【０００９】
図１、図２及び図３に示す新型刃部固定式のカッターナイフは、カッターナイフケース１を包括し、カッターナイフケース１の内部にホルダー２を移動自在に設け、前記ホルダー２上にセラミック刃部を固定して取りけるための固定具３を設け、固定具３の底部に厚さが固定具３の幅と等しい半円弧状の突起４を設け、固定具３内にセラミック刃部５を固着しており、セラミック刃部５の峰中部に半円弧状の突起４と合わせる凹溝６を開設し、ホルダー２がカッターナイフケース１内の摺動溝内に摺動自在に設けられ、前記ホルダー２の左右側辺上に摺接曲面凸条７を設け、ホルダー２の左側辺或いは右側辺に位置しホルダー２尾部に近い摺接曲面凸条７は弾力性のある摺接曲面凸条で、前記ホルダー２上にカッターナイフケース１と係着固定又は摺動離脱を実現するために用いられる操作ボタン８を更に設け、摺接曲面凸条７が使用中、ホルダー２を終始刃体上に密着し、緩めが生じて使用に影響を及ぼさせないよう確保することを特徴とする。
【００１０】
カッターナイフケース１は、左半側ケース１．１と右半側ケース１．２とを含み、前記摺動溝が左半側ケース１．２上に設けられ、摺動溝底部に位置する左半側ケース１．１上に操作ボタンの摺動縦溝１．２．１を開設し、操作ボタンの摺動縦溝１．２．１の両側に第１ロッキングスロット１．２．１．１、第２ロッキングスロット１．２．１．２、第３ロッキングスロット１．２．１．３を各々設け、前記操作ボタン８の下端に第１ロッキングスロット１．２．１．１、第２ロッキングスロット１．２．１．２、第３ロッキングスロット１．２．１．３のいずれかと係着する係止ブロック８．１を設け；前記右半側ケース１．２上にホルダー２固定スイッチ１０を設け、前記ホルダー２上に固定スイッチ１０と係着する第１係止溝２．１、第２係止溝２．２、第３係止溝２．３を設ける。操作ボタン８を操作すると、ホルダー２を第１ロッキングスロット１．２．１．１、第２ロッキングスロット１．２．１．２、第３ロッキングスロット１．２．１．３のいずれかの位置に固定させることで、セラミック刃部５の突出し長さを制御し、使用の目的を達成することができる。固定スイッチ１０の設置はホルダー２が誤操作或いは受けた力が過大なことにより動き又は緩めの状況が現れない。固定スイッチ１０が第１係止溝２．１、第２係止溝２．２、第３係止溝２．３に対応して係止を実現する。
【００１１】
前記右半側ケース１．２上には強力な磁石取付溝１．２．２を設け、強力な磁石取付溝１．２．２に強力な磁石９を固定して取り付け、強力な磁石取付溝１．２．２の底部から右半側ケース１．２の外表面までの厚さが１〜２ｍｍとする。該技術的手段は、本考案の保管の利便性のため、カッターナイフケース１内に強力な磁石を設け、使用者が例えば冷蔵庫、鉄製棚等の鉄製製品に吸着させるために便利になる。
【００１２】
当業者にとって、本考案は上記例示した実施例の詳細に限定されず、且つ本発明の精神或いは基本的特徴から離れることなく、その他の具体的形態で本考案を実現できる。よって、どの視点から見るかを問わず、均しく実施例を例示的なもので、且つ限定されるものではないと見なし、本考案の範囲の上記の説明になく添付された実用新案登録請求の範囲で限定するため、実用新案登録請求の範囲の同等性要件の意味及び範囲内に入る全ての変化が本考案内に含まれる。
【００１３】
このほかに、本明細書は、実施形態により記述されているが、各実施形態が１つの独立技術的手段のみを含むことはなく、明細書のこのような記述方式があくまでも本考案の技術内容を明らかにするものであって、当業者は明細書を１つの全体として見なし、各実施例内の技術的手段も適切な組み合わせを経て当業者が理解できるその他の実施形態を形成できる。
【符号の説明】
【００１４】
１  カッターナイフケース
１．１  左半側ケース
１．２  右半側ケース
１．２．１  操作ボタンの摺動縦溝
１．２．１．１  第１ロッキングスロット
１．２．１．２  第２ロッキングスロット
１．２．１．３  第３ロッキングスロット
１．２．２  強力な磁石取付溝
２  ホルダー
２．１  第１係止溝
２．２  第２係止溝
２．３  第３係止溝
３  固定具
４  半円弧状の突起
５  セラミック刃部
６  凹溝
７  摺接曲面凸条
８  操作ボタン
８．１  係止ブロック
９  強力な磁石
１０  固定スイッチ
【図１】
0003211972.tif 000003
【図２】
0003211972.tif 000004
【図３】
0003211972.tif 000005
【手続補正書】
【提出日】平成29年6月15日(2017.6.15)
【手続補正１】
【補正対象書類名】実用新案登録請求の範囲
【補正対象項目名】全文
【補正方法】変更
【補正の内容】
【実用新案登録請求の範囲】
【請求項１】
新型刃部固定式のカッターナイフであって、カッターナイフケース（１）を包括し、前記カッターナイフケース（１）の内部にホルダー（２）を移動自在に設け、前記ホルダー（２）上にセラミック刃部を固定して取りけるための固定具（３）を設け、前記固定具（３）の底部に厚さが前記固定具（３）の幅と等しい半円弧状の突起（４）を設け、前記固定具（３）内に前記セラミック刃部（５）を固着しており、前記セラミック刃部（５）の峰中部に前記半円弧状の突起（４）と合わせる凹溝（６）を開設し、前記ホルダー（２）が前記カッターナイフケース（１）内の摺動溝内に摺動自在に設けられ、前記ホルダー（２）の左右側辺上に摺接曲面凸条（７）を設け、前記ホルダー（２）の左側辺或いは右側辺に位置し前記ホルダー（２）尾部に近い前記摺接曲面凸条（７）は弾力性のある摺接曲面凸条で、前記ホルダー（２）上に前記カッターナイフケース（１）と係着固定又は摺動離脱を実現するために用いられる操作ボタン（８）を更に設けることを特徴とする新型刃部固定式のカッターナイフ。
【請求項２】
前記カッターナイフケース１は、左半側ケース（１．１）と右半側ケース（１．２）とを含み、前記摺動溝が左半側ケース（１．１）上に設けられ、前記摺動溝底部に位置する左半側ケース（１．１）上に操作ボタンの摺動縦溝（１．２．１）を開設し、前記操作ボタンの摺動縦溝（１．２．１）の両側に第１ロッキングスロット（１．２．１．１）、第２ロッキングスロット（１．２．１．２）、第３ロッキングスロット（１．２．１．３）を各々設け、前記操作ボタン（８）の下端に前記第１ロッキングスロット（１．２．１．１）、前記第２ロッキングスロット（１．２．１．２）、前記第３ロッキングスロット（１．２．１．３）のいずれかと係着する係止ブロック（８．１）を設け；前記右半側ケース（１．２）上に前記ホルダー（２）固定スイッチ（１０）を設け、前記ホルダー（２）上に前記固定スイッチ（１０）と係着する第１係止溝（２．１）、第２係止溝（２．２）、第３係止溝（２．３）を設けることを特徴とする請求項１に記載の新型刃部固定式のカッターナイフ。
【請求項３】
前記右半側ケース（１．２）上には強力な磁石取付溝（１．２．２）を設け、前記強力な磁石取付溝（１．２．２）に強力な磁石（９）を固定して取り付け、前記強力な磁石取付溝（１．２．２）の底部から前記右半側ケース（１．２）の外表面までの厚さが１〜２ｍｍとすることを特徴とする請求項２に記載の新型刃部固定式のカッターナイフ。